(57)【要約】【課題】訪問者からの呼び出しに直ちに応答できないエリアに居住者が居る場合に、訪問者に対して適切な応答が行えるインターフォン装置を提供する。【解決手段】所定の場所に居住者が居るか否かを判定する場所検知部と、前記居住者が前記所定の場所に居る場合に訪問者からの呼び出しがあると、前記訪問者に所定のメッセージを提示するメッセージ提示部と、を備えることを特徴とするインターフォン装置。【選択図】図２
2017200066.tif 000002
【特許請求の範囲】
【請求項１】
所定の場所に居住者が居るか否かを判定する場所検知部と、
前記居住者が前記所定の場所に居る場合に訪問者からの呼び出しがあると、前記訪問者に所定のメッセージを提示するメッセージ提示部と、
を備えることを特徴とするインターフォン装置。
【請求項２】
複数の前記所定の場所の内、前記居住者がどの場所にいるかに応じて、前記訪問者に提示するメッセージを選択するメッセージ選択部
をさらに備えることを特徴とする請求項１に記載のインターフォン装置。
【請求項３】
前記居住者が前記所定の場所に居る経過時間に応じて、前記訪問者に提示するメッセージを選択するメッセージ選択部
をさらに備えることを特徴とする請求項１に記載のインターフォン装置。
【請求項４】
前記場所検知部は、電気の使用状態に基づいて、前記居住者の居る場所を特定する
請求項１から請求項３のいずれか一項に記載のインターフォン装置。
【請求項５】
前記場所検知部は、水道の使用状態に基づいて、前記居住者の居る場所を特定する
請求項１から請求項３のいずれか一項に記載のインターフォン装置。
【請求項６】
前記場所検知部は、ガスの使用状態に基づいて、前記居住者の居る場所を特定する
請求項１から請求項３のいずれか一項に記載のインターフォン装置。
【請求項７】
前記場所検知部は、居住者の保有する携帯端末からの位置情報に基づいて、前記居住者の居る場所を特定する
請求項１から請求項３のいずれか一項に記載のインターフォン装置。
【請求項８】
居住者が訪問者からの呼び出しに応答する第１装置と、訪問者が居住者を呼び出す第２装置とを備えるインターフォンシステムにおいて、
前記第１装置は、
所定の場所に居住者が居るか否かを判定する場所検知部と、
前記居住者が前記所定の場所に居る場合に訪問者からの呼び出しがあると、所定のメッセージを前記第１装置に送信するメッセージ送信部と、
を備え、
前記第２装置は、
前記第１装置を呼び出す操作部と、
前記訪問者に、前記第１装置から受信したメッセージを出力する出力部と、
を備えるインターフォンシステム。
【請求項９】
インターフォン装置が、所定の場所に居住者が居るか否かを判定する第１ステップと、
前記インターフォン装置が、前記居住者が前記所定の場所に居る場合に訪問者からの呼び出しがあると、前記訪問者に所定のメッセージを提示する第２ステップと、
を含むインターフォン装置の制御方法。
【請求項１０】
コンピュータに、
所定の場所に居住者が居るか否かを判定する第１ステップと、
前記居住者が前記所定の場所に居る場合に訪問者からの呼び出しがあると、前記訪問者に所定のメッセージを提示する第２ステップと、
を実行させるためのプログラム。
【発明の詳細な説明】
【技術分野】
【０００１】
本発明は、インターフォン装置、インターフォンシステム、インターフォン装置の制御方法、及びプログラムに関する。
【背景技術】
【０００２】
特許文献１には、在宅モードと不在モードとが設定できるインターフォンシステムが開示されている。このようなインターフォンシステムでは、不在モードに設定することで、留守中に訪問者があっても、訪問者に対処することができる。
【先行技術文献】
【特許文献】
【０００３】
【特許文献１】特開２０１０−２５９０１５号公報
【発明の概要】
【発明が解決しようとする課題】
【０００４】
ところで、特許文献１に記載のモード設定では、在宅モードでは、訪問者に直ぐに対処できることを前提にしている。しかしながら、居住者が在宅していても、訪問者に直ぐに対処できないエリアに居ることがある。例えば、一人暮らしで居住者がバスルームに居る場合、入浴中であるから、居住者が在宅していても、訪問者に直ぐに対処できない。
【０００５】
上述の課題を鑑み、本発明は、訪問者からの呼び出しに直ちに応答できないエリアに居住者が居る場合であっても、訪問者に対して適切な応答が行えるインターフォン装置、インターフォンシステム、インターフォン装置の制御方法、及びプログラムを提供することを目的とする。
【課題を解決するための手段】
【０００６】
上述の課題を解決するために、本発明の一態様に係るインターフォン装置は、所定の場所に居住者が居るか否かを判定する場所検知部と、前記居住者が前記所定の場所に居る場合に訪問者からの呼び出しがあると、前記訪問者に所定のメッセージを提示するメッセージ提示部と、を備えることを特徴とするインターフォン装置である。
【０００７】
また、本発明の他の態様は、居住者が訪問者からの呼び出しに応答する第１装置と、訪問者が居住者を呼び出す第２装置とを備えるインターフォンシステムにおいて、前記第１装置は、所定の場所に居住者が居るか否かを判定する場所検知部と、前記居住者が前記所定の場所に居る場合に訪問者からの呼び出しがあると、所定のメッセージを前記第２装置に送信するメッセージ送信部と、を備え、前記第２装置は、前記第１装置を呼び出す操作部と、前記訪問者に、前記第１装置から受信したメッセージを出力する出力部と、を備えるインターフォンシステムである。
【０００８】
また、本発明の他の態様は、インターフォン装置が、所定の場所に居住者が居るか否かを判定する第１ステップと、前記インターフォン装置が、前記居住者が前記所定の場所に居る場合に訪問者からの呼び出しがあると、前記訪問者に所定のメッセージを提示する第２ステップと、を含むインターフォン装置の制御方法である。
【０００９】
また、本発明の他の態様は、コンピュータに、所定の場所に居住者が居るか否かを判定する第１ステップと、前記居住者が前記所定の場所に居る場合に訪問者からの呼び出しがあると、前記訪問者に所定のメッセージを提示する第２ステップと、を実行させるプログラムである。
【発明の効果】
【００１０】
本発明によれば、居住者が訪問者の呼び出しに直ちに応答できないエリアに居る場合に、准不在モードに設定している。これにより、訪問者からの呼び出しに直ちに応答できないエリアに居住者が居る場合に、訪問者に対して適切な応答が行える。
【図面の簡単な説明】
【００１１】
【図１】第１の実施形態に係るインターフォンシステムの概要の説明図である。
【図２】第１の実施形態に係るインターフォンシステムの構成を示すブロック図である。
【図３】第１の実施形態に係る准不在モード設定データベースの構成の一例の説明図である。
【図４】第１の実施形態に係るインターフォンシステムの動作の説明に用いるフローチャートである。
【図５】第２の実施形態に係る准不在モード設定データベースの構成の一例の説明図である。
【図６】第２の実施形態に係るインターフォンシステムの動作の説明に用いるフローチャートである。
【図７】第３の実施形態に係る准不在モード設定データベースの構成の一例の説明図である。
【図８】第３の実施形態に係るインターフォンシステムの動作の説明に用いるフローチャートである。
【図９】第４の実施形態に係るインターフォンシステムの概要の説明図である。
【図１０】本第４の実施形態に係るインターフォンシステムの構成を示すブロック図である。
【図１１】第４の実施形態に係る准不在モード設定データベースの構成の一例の説明図である。
【図１２】第４の実施形態に係るインターフォンシステムの動作の説明に用いるフローチャートである。
【発明を実施するための形態】
【００１２】
以下、本発明の実施の形態について図面を参照しながら説明する。
＜第１の実施形態＞
図１は、本発明の第１の実施形態に係るインターフォンシステム１の概要を示すものである。図１に示すように、本発明の第１の実施形態に係るインターフォンシステム１は、例えば集合住宅の住居１０に設置される。
【００１３】
住居１０には、４つの部屋１１（リビングルーム１１ａ、キッチン１１ｂ、バスルーム１１ｃ、トイレ１１ｄ）が設けられる。インターフォンシステム１は、親機２と子機３とを専用線４で接続して構成される。親機２は、例えばリビングルーム１１ａの壁面に取り付けられる。子機３は、例えば玄関ドア１２近傍の外壁に取り付けられる。各部屋１１（リビングルーム１１ａ、キッチン１１ｂ、バスルーム１１ｃ、トイレ１１ｄ）には、照明器具１３ａ〜１３ｄが設置されている。照明器具１３ａ〜１３ｄの電気使用状態は、電気使用検出器７で検出され、親機２に送られる。電気使用検出器７は、照明器具１３ａ〜１３ｄに電源を供給する経路に取り付け、電磁誘導等を利用して電源の供給を検出する構成とすることができる。また、電気使用検出器７は、配電盤から照明器具１３ａ〜１３ｄの電気使用状態を検出する構成としても良い。
【００１４】
インターフォンシステム１では、在宅モードと、不在モードと、准不在モードとが設定できる。在宅モードは、居住者５が住居１０に在宅しているときに設定するモードである。在宅モードでは、訪問者６が子機３の呼出ボタンを押下すると、親機２からはチャイム音が出力され、訪問者６の訪問があったことが居住者５に知らされる。ここで、インターフォンシステム１が在宅モードに設定されている場合には、親機２と子機３との間で通話を行うことができる。
【００１５】
不在モードは、居住者５が外出しているときに設定するモードである。インターフォンシステム１が不在モードに設定されている場合には、訪問者６が子機３の呼出ボタンを押下すると、親機２から子機３に不在メッセージが送信される。訪問者６は、この不在メッセージを聞くことで、居住者５が不在であることが分かる。
【００１６】
准不在モードは、居住者５が在宅していても、訪問者６からの呼び出しに直ちに応答できないようなときに設定されるモードである。例えば、居住者５が入浴中の場合には、居住者５は直ちに訪問者６に応答できない。インターフォンシステム１が准不在モードに設定されている場合には、訪問者６が子機３の呼出ボタンを押下すると、親機２から子機３に、直ちに応答できない旨の応答メッセージが送信される。訪問者６は、この応答メッセージを聞くことで、居住者５が直ちに応答できない状態であることが知らされる。
【００１７】
ここで、准不在モードは、照明器具１３ａ〜１３ｄの電気使用状態に応じて設定される。つまり、住居１０に居住者５が一人で住んでいることを想定する。この場合、居住者５がリビングルーム１１ａにいれば、訪問者６の対応は直ちに可能である。これに対して、居住者５がキッチン１１ｂに居る場合には、料理中であるので、居住者５は訪問者６に直ちに応答できない。居住者５がバスルーム１１ｃに居る場合も、入浴中であるので、居住者５は訪問者６に直ちに応答できない。居住者５がトイレ１１ｄに居る場合も同様に、居住者５は、訪問者６に直ちに応答できない。
【００１８】
居住者５が住居１０のどこに居るかは、照明器具１３ａ〜１３ｄの電気使用状態から判定できる。例えば、居住者５がキッチン１１ｂに居る場合には、居住者５は、キッチン１１ｂの照明器具１３ｂを点灯させているので、照明器具１３ｂは電気使用状態となる。このように、住居１０の中で、居住者５が居る部屋１１（リビングルーム１１ａ、キッチン１１ｂ、バスルーム１１ｃ、トイレ１１ｄ）では、その部屋の照明器具１３ａ〜１３ｄは電気使用状態となる。
【００１９】
そこで、本実施形態に係るインターフォンシステム１では、電気使用検出器７の検出信号から、各部屋１１（リビングルーム１１ａ、キッチン１１ｂ、バスルーム１１ｃ、トイレ１１ｄ）の電気使用状態を検出している。そして、訪問者６からの呼び出しに直ちに応答できないエリアを准不在モード設定エリアとして予め設定しておき、電気使用状態から、居住者５が居る場所が准不在モード設定エリアであるか否かを判定し、居住者５が居る場所が准不在モード設定エリアであると判定したら、准不在モードに設定している。准不在モードに設定されている間に、訪問者６からの呼び出しがある場合には、親機２は、居住者５が准不在モード設定エリア中のどのエリアに居るかに応じて、最適な応答メッセージを選択して、子機３に送信する。
【００２０】
また、本実施形態では、居住者５が経過時間によるメッセージ変更が必要となる特定のエリアに居る場合には、電気の使用時間に応じて、応答メッセージを変更するようにしている。例えば、居住者５がバスルーム１１ｃに居るような場合、居住者５が入浴した直前か、暫く入浴した後かに応じて、訪問者６に対応できるようになるまでの時間は異なる。そこで、本実施形態では、居住者５がバスルーム１１ｃに居る場合には、バスルーム１１ｃでの電気使用時間を計測し、使用経過時間に応じて、応答メッセージを変更させるようにしている。
【００２１】
次に、本発明の第１の実施形態に係るインターフォンシステム１の構成について説明する。図２は、本発明の第１の実施形態に係るインターフォンシステム１の構成を示すブロック図である。図２に示すように、インターフォンシステム１は、親機２と子機３とから構成される。
【００２２】
親機２は、制御部２１と、記憶部２２と、マイクロホン２３と、入力音声処理部２４と、出力音声処理部２５と、スピーカ２６と、カメラ２７と、撮像処理部２８と、表示処理部２９と、表示部３０と、操作部３１と、専用線通信部３２と、インターフェース３３とを備えている。
【００２３】
制御部２１は、親機２の動作を統括して制御するものであり、例えばＣＰＵ（Central Processing Unit）等のプロセッサが記憶部に記憶されたプログラムを実行することにより実装される。制御部２１は、電気使用場所検知部４１と、電気使用時間算出部４２と、モード切替え部４３と、メッセージ選択部４４の機能を実現する。電気使用場所検知部４１は、電気使用検出器７からの電気使用状態の検出信号から、どのエリアの電気が使用状態にあるかを検出する。電気使用時間算出部４２は、電気使用状態となっている時間を計測する。モード切替え部４３は、電気使用状態となっているエリアが准不在モード設定エリアか否かに応じて、在宅モードから准不在モードにモードを切替える。メッセージ選択部４４は、電気使用状態となっているエリアがどの准不在モード設定エリアであるかの情報と、使用経過時間の情報とに応じて、応答メッセージを選択する。
【００２４】
記憶部２２は、制御部２１が実行する制御プログラム及び親機２が有する各種機能を実行するときに読み出す各種データを記憶するものである。記憶部２２は、設定モード記憶部４５と、准不在モード設定データベース４６と、訪問履歴記憶部４７とを有している。設定モード記憶部４５は、設定モードを記憶している。准不在モード設定データベース４６は、准不在モードに設定するエリアと、経過時間によるメッセージ変更が必要かどうかの情報と、使用経過時間と、応答メッセージとを対応付けて記憶している。訪問履歴記憶部４７は、訪問者６が訪問した日付と、伝言とを対応して記憶している。
【００２５】
マイクロホン２３は、居住者５から訪問者６に知らせる音声を入力する。入力音声処理部２４は、マイクロホン２３から入力された居住者５の音声信号を増幅して、制御部２１に出力する。出力音声処理部２５は、訪問者６から居住者５に送られてくる音声信号を制御部２１から取得し、この音声信号を増幅して、スピーカ２６に出力する。スピーカ２６は、訪問者６からの音声を居住者５へ出力する。なお、マイクロホン２３とスピーカ２６は、ハンドセットに組み込むようにしても良い。
【００２６】
カメラ２７は、居住者５を撮影する。撮像処理部２８は、カメラ２７からの画像データの処理を行い、制御部２１に出力する。
表示処理部２９は、訪問者６の画像を制御部２１から取得し、表示部３０に出力する。表示部３０は、例えばＬＣＤ(Liquid Crystal Display)ディスプレイからなり、訪問者６の画像を表示する。
【００２７】
操作部３１は、各種のユーザー操作を入力する。操作部３１として、文字入力キー、数字を入力するためのテンキー、十字キー、決定キーなどを備えたキーボードを備えていても良い。また、表示部３０上にタッチパネルを設けて、操作部３１としても良い。
専用線通信部３２は、専用線４を介して子機３と接続し、子機３との間で音声信号や画像信号の通信を行う。なお、専用線通信部３２は、家庭内ＬＡＮ(Local Area Network)などの構内通信網を介して、子機３に接続されていても良い。
インターフェース３３は、電気使用検出器７から、照明器具１３ａ〜１３ｄの電気使用状態の検出信号を受信し、制御部２１に出力する。
【００２８】
子機３は、制御部５１と、マイクロホン５３と、入力音声処理部５４と、出力音声処理部５５と、スピーカ５６と、カメラ５７と、撮像処理部５８と、表示処理部５９と、表示部６０と、呼出ボタン（操作部）６１と、専用線通信部６２とを備えている。
【００２９】
制御部５１は、子機３の動作を統括して制御するものであり、例えばＣＰＵ等のプロセッサが記憶部に記憶されたプログラムを実行することにより実装される。
マイクロホン５３は、訪問者６の音声を入力する。入力音声処理部５４は、マイクロホン５３から入力された訪問者６の音声信号を増幅して、制御部５１に出力する。
【００３０】
出力音声処理部５５は、訪問者６に出力する居住者５からの音声信号や親機２からの音声メッセージを制御部５１から取得し、この音声信号を増幅して、スピーカ５６に出力する。スピーカ５６は、音声信号を音響に変換して、訪問者６へ出力する。
カメラ５７は、訪問者６を撮影する。撮像処理部５８は、カメラ５７からの画像データの処理を行い、制御部５１に出力する。
【００３１】
表示処理部５９は、各種の表示情報を制御部５１から取得し、表示部６０に出力する。表示部６０は、例えばＬＣＤディスプレイからなる。
呼出ボタン６１は、訪問者６が来訪したときに、居住者５を呼び出すボタンである。
専用線通信部６２は、専用線４を介して親機２と接続し、親機２との間で、音声信号や画像信号の通信を行う。なお、専用線通信部６２は、家庭内ＬＡＮなどの構内通信網を介して、親機２に接続されていても良い。
【００３２】
図３は、本発明の第１の実施形態に係る准不在モード設定データベース４６の構成の一例である。図３の例では、准不在モードに設定するエリアとして、バスルームエリアと、キッチンエリアと、トイレエリアとが設定される。バスルームエリアは、経過時間によるメッセージ変更が必要であり、図３に示すように、電気使用時間に応じて、応答メッセージが異なっている。キッチンエリアは、経過時間によるメッセージ変更は不要であり、電気使用時間にかかわらず、応答メッセージは同じである。トイレエリアは、経過時間によるメッセージ変更は不要であり、電気使用時間にかかわらず、応答メッセージは同じである。
【００３３】
なお、ユーザー（居住者５）は、インターフォンシステム１を設置したときに、予め、准不在モード設定データベース４６に、准不在モード設定エリアと、経過時間によるメッセージ変更の要／不要と、使用経過時間と、応答メッセージとを登録しておく。また、准不在モード設定データベース４６の登録情報は、インターフォンシステム１を使用するユーザー（居住者５）により変更可能である。
【００３４】
次に、本発明の第１の実施形態に係るインターフォンシステム１の動作について、図４のフローチャートを参照しながら説明する。
（ステップＳ１）居住者５は、在宅しているので、在宅モードに設定する。在宅モードと不在モードの設定は、操作部３１の操作により行える。また、設定されたモードは、設定モード記憶部４５に記憶される。
（ステップＳ２）制御部２１は、電気使用検出器７からの電気使用状態の検出信号から電気使用状態を検知し、電気使用状態を検知したら、処理をステップＳ３に進める。
【００３５】
（ステップＳ３）制御部２１は、准不在モード設定データベース４６を参照して、電気使用状態となったエリアは、准不在モード設定エリアであるか否かを判定する。すなわち、図３の例では、バスルームエリア、キッチンエリア、トイレエリアが准不在モード設定エリアとして記憶されている。この場合、制御部２１は、電気使用状態となっているエリアが、キッチン１１ｂ、バスルーム１１ｃ、又はトイレ１１ｄであるなら、電気使用状態となったエリアは、准不在モード設定エリアであると判定する。制御部２１は、電気使用状態となったエリアが准不在モード設定エリアであると判定したら（ステップＳ３：Ｙｅｓ）、処理をステップＳ４に進め、電気使用状態となったエリアが准不在モード設定エリアでないと判定したら（ステップＳ３：Ｎｏ）、処理をステップＳ２に戻す。
【００３６】
（ステップＳ４）制御部２１は、モードを在宅モードから准不在モードに切替え、ステップＳ５に処理を進める。
（ステップＳ５）訪問者６が住居１０に来訪すると、訪問者６は、子機３の呼出ボタン６１を押し、居住者５の呼び出しを行う。
【００３７】
（ステップＳ６）制御部２１は、子機３からの呼び出しを受けると、准不在モード設定データベース４６を参照して、電気使用状態となっているエリアは、経過時間によるメッセージの変更が必要なエリアか否かを判定する。図３の例では、バスルームエリアでは、経過時間によるメッセージの変更が必要とされ、キッチンエリア及びトイレエリアでは、経過時間によるメッセージの変更が不要とされている。したがって、制御部２１は、電気使用状態となっているエリアがバスルーム１１ｃなら、経過時間によるメッセージの変更が必要と判定する。また、制御部２１は、電気使用状態となっているエリアがキッチン１１ｂ又はトイレ１１ｄであるなら、経過時間によるメッセージの変更が不要と判定する。制御部２１は、経過時間によるメッセージの変更は必要であると判定したら（ステップＳ６：Ｙｅｓ）、処理をステップＳ７に進め、経過時間によるメッセージの変更は不要であると判定したら（ステップＳ６：Ｎｏ）、処理をステップＳ９に進める。
【００３８】
（ステップＳ７）制御部２１は、電気使用時間を計測し、処理をステップＳ８に進める。
（ステップＳ８）制御部２１は、准不在モード設定データベース４６を参照して、電気使用の計測時間に応じて、応答メッセージを選択し、処理をステップＳ１０に進める。例えば、使用経過時間がＴ１分未満なら、制御部２１は、「Ｎ１分後（例えば１時間後）に対応可能です」のメッセージを選択する。また、例えば、使用経過時間がＴ１分からＴ２分の間なら、制御部２１は、「Ｎ２分後（例えば３０分後）に対応可能です」のメッセージを選択する。
【００３９】
（ステップＳ９）制御部２１は、准不在モード設定データベース４６を参照して、電気使用のエリアに応じて、応答メッセージを選択し、処理をステップＳ１０に進める。例えば、使用エリアがキッチン１１ｂなら、制御部２１は、「２〜３分お待ち下さい」のメッセージを選択する。
（ステップＳ１０）制御部２１は、ステップＳ８又はステップＳ９で選択された応答メッセージを子機３に通知し、処理をステップＳ１１に進める。子機３の出力音声処理部５５は、この応答メッセージをスピーカ５６から出力する。
（ステップＳ１１）制御部２１は、訪問者６があったことを居住者５に通知して、処理を終了する。
【００４０】
なお、上述の例では、准不在モードに設定されている間に、訪問者６からの呼び出しを受けると、子機３に、直ちに応対できないことを示す応答メッセージを音声で出力しているが、子機３の表示部６０に、直ちに応対できないことを示す表示を行うようにしても良い。
【００４１】
＜第２の実施形態＞
次に、本発明の第２の実施形態について説明する。本実施形態では、水道の使用状態を検出して、水道が使用状態となっているエリアから、居住者５が准不在モード設定エリアに居るか否かを判定している。本実施形態の基本構成は、第１の実施形態と同様であり、その説明は省略する。
【００４２】
図５は、本発明の第２の実施形態に係る准不在モード設定データベース４６の構成の一例である。図５の例では、准不在モードに設定するエリアとして、バスルームエリアと、キッチンエリアとが設定される。バスルームエリアは、経過時間によるメッセージ変更が必要であり、図５に示すように、水道使用時間に応じて、応答メッセージが異なっている。キッチンエリアは、経過時間によるメッセージ変更は不要であり、水道使用時間にかかわらず、応答メッセージは同じである。
【００４３】
図６は、本発明の第２の実施形態に係るインターフォンシステム１の動作のフローチャートである。図６に示す第２の実施形態での処理は、図４に示した第１の実施形態での処理と基本的には同様である。図６におけるステップＳ１０１からステップＳ１１１は、図４におけるステップＳ１からステップＳ１１と対応している。第２の実施形態と第１の実施形態の相違点は、第１の実施形態では、ステップＳ２で電気使用を検知していたのに対して、本実施形態では、ステップＳ１０２で水道使用を検知している。また、第１の実施形態では、ステップＳ７で、電気使用時間を計測していたのに対して、第２の実施形態では、ステップＳ１０７で、水道使用時間を計測している。
【００４４】
＜第３の実施形態＞
次に、本発明の第３の実施形態について説明する。本実施形態では、ガスの使用状態を検出して、ガスが使用状態となっているエリアから、居住者５が准不在モード設定エリアに居るか否かを判定している。本発明の第３の実施形態の基本構成は、第１の実施形態と同様であり、その説明は省略する。
【００４５】
図７は、本発明の第３の実施形態に係る准不在モード設定データベース４６の構成の一例である。図７の例では、准不在モードに設定するエリアとして、バスルームエリアと、キッチンエリアとが設定される。バスルームエリアは、経過時間によるメッセージ変更が必要であり、図７に示すように、ガス使用時間に応じて、応答メッセージが異なっている。キッチンエリアは、経過時間によるメッセージ変更は不要であり、ガス使用時間にかかわらず、応答メッセージは同じである。
【００４６】
図８は、本発明の第３の実施形態に係るインターフォンシステム１の動作のフローチャートである。図８に示す第３の実施形態での処理は、図４に示した第１の実施形態での処理と基本的には同様である。図８におけるステップＳ２０１からステップＳ２１１は、図４におけるステップＳ１からステップＳ１１と対応している。第３の実施形態と第１の実施形態の相違点は、第１の実施形態では、ステップＳ２で電気使用を検知していたのに対して、本実施形態では、ステップＳ２０２でガス使用を検知している。また、第１の実施形態では、ステップＳ７で、電気使用時間を計測していたのに対して、第２の実施形態では、ステップＳ２０７で、ガス使用時間を計測している。
【００４７】
＜第４の実施形態＞
次に、本発明の第４の実施形態について説明する。前述の第１から第３の実施形態では、住居１０に居住者５が在宅しているが、居住者５が直ちに訪問者６に応答できないようなときに、准不在モードに設定している。これに対して、この第４の実施形態では、居住者１０５は外出しているが、居住者１０５が間もなく住居１１０に戻り、訪問者１０６と応答をとれるようなときに、准不在モードに設定している。
【００４８】
図９は、本発明の第４の実施形態に係るインターフォンシステム１０１の概要を示すものである。図９に示すように、居住者１０５は、携帯端末１７１を保有している。携帯端末１７１は、親機１０２に接続された通信端末１０７と通信を行い、携帯端末１７１の位置を検知する。
【００４９】
図９において、居住者１０５が外出した場合には、インターフォンシステム１０１は、不在モードに設定されている。ここで、住居１１０に訪問者１０６が来訪したとする。このとき、居住者１０５が住居１１０の近くに居れば、居住者１０５が住居１１０に戻り、訪問者１０６と対応することができる。そこで、本実施形態では、携帯端末１７１は、現在地を検出し、この携帯端末１７１の現在地を、通信端末１０７を介して親機１０２に送信する。親機１０２は、携帯端末１７１の現在地を取得し、携帯端末１７１と親機１０２との間が所定の距離以内なら、准不在モードに設定する。親機１０２は、准不在モードに設定されている間に、訪問者１０６からの呼び出しがある場合には、携帯端末１７１と親機１０２との間との距離に応じて、最適な応答メッセージを選択して、子機１０３から出力させる。
【００５０】
図１０は、本発明の第４の実施形態に係るインターフォンシステム１０１の構成を示すブロック図である。図１０に示すように、インターフォンシステム１０１は、親機１０２と子機１０３とから構成される。
【００５１】
親機１０２は、制御部１２１と、記憶部１２２と、マイクロホン１２３と、入力音声処理部１２４と、出力音声処理部１２５と、スピーカ１２６と、カメラ１２７と、撮像処理部１２８と、表示処理部１２９と、表示部１３０と、操作部１３１と、専用線通信部１３２と、インターフェース１３３とを備えている。これら、制御部１２１、記憶部１２２、マイクロホン１２３、入力音声処理部１２４、出力音声処理部１２５、スピーカ１２６、カメラ１２７、撮像処理部１２８、表示処理部１２９、表示部１３０、操作部１３１、専用線通信部１３２、インターフェース１３３は、第１の実施形態における、制御部２１、記憶部２２、マイクロホン２３、入力音声処理部２４、出力音声処理部２５、スピーカ２６、カメラ２７、撮像処理部２８、表示処理部２９、表示部３０、操作部３１、専用線通信部３２、インターフェース３３と同様である。
【００５２】
前述の第１の実施形態では、インターフェース３３には、電気使用検出器７から照明器具１３ａ〜１３ｄの電気使用状態の検出信号が供給される。これに対して、この実施形態では、インターフェース１３３に通信端末１０７が接続される。
【００５３】
また、本実施形態では、制御部１２１は、移動場所検知部１４１と、モード切替え部１４３と、メッセージ選択部１４４の機能を実現する。移動場所検知部１４１は、居住者１０５の携帯端末１７１との通信結果から、親機１０２と携帯端末１７１との距離を計測する。モード切替え部１４３は、親機１０２と携帯端末１７１との距離に応じて、不在モードから准不在モードにモードを切替える。メッセージ選択部１４４は、親機１０２と携帯端末１７１との距離に基いて設定された准不在モード設定エリアに応じて、応答メッセージを選択する。
【００５４】
記憶部１２２は、設定モード記憶部１４５と、准不在モード設定データベース１４６と、訪問履歴記憶部１４７とを有している。設定モード記憶部１４５は、設定モードを記憶している。准不在モード設定データベース１４６は、親機１０２と携帯端末１７１との距離に基いて設定された准不在モード設定エリアと、応答メッセージとを対応付けて記憶している。訪問履歴記憶部１４７は、訪問者１０６が訪問した日付と、伝言とを対応して記憶している。
【００５５】
子機１０３は、制御部１５１と、マイクロホン１５３と、入力音声処理部１５４と、出力音声処理部１５５と、スピーカ１５６と、カメラ１５７と、撮像処理部１５８と、表示処理部１５９と、表示部１６０と、呼出ボタン１６１と、専用線通信部１６２とを備えている。制御部１５１、マイクロホン１５３、入力音声処理部１５４、出力音声処理部１５５、スピーカ１５６、カメラ１５７、撮像処理部１５８、表示処理部１５９、表示部１６０、呼出ボタン１６１、専用線通信部１６２は、第１の実施形態における、制御部５１、マイクロホン５３、入力音声処理部５４、出力音声処理部５５、スピーカ５６、カメラ５７、撮像処理部５８、表示処理部５９、表示部６０、呼出ボタン６１、専用線通信部６２と同様である。
【００５６】
図１１は、本発明の第３の実施形態に係る准不在モード設定データベース１４６の構成の一例である。図１１の例では、准不在モード設定エリアは、携帯端末１７１までの距離が０からＫ１ｍまでのエリア（准不在モード設定エリアＡＲ１）と、Ｋ１ｍからＫ２ｍまでのエリア（准不在モード設定エリアＡＲ２）と、Ｋ２ｍからＫ３ｍまでのエリア（准不在モード設定エリアＡＲ３）と、Ｋ３ｍからＫ４ｍまでのエリア（准不在モード設定エリアＡＲ４）と、Ｋ４ｍからＫ５ｍまでのエリア（准不在モード設定エリアＡＲ５）の５つのエリアに分けられる。准不在モード設定データベース１４６には、各准不在モード設定エリアＡＲ１〜ＡＲ５と対応して、応答メッセージが記憶されている。
【００５７】
図１２は、本発明の第４の実施形態に係るインターフォンシステム１０１の動作を示すフローチャートである。
（ステップＳ３０１）居住者１０５は、外出に際して、操作部１３１を操作して、不在モードに設定する。
（ステップＳ３０２）制御部１２１は、通信端末１０７、インターフェース１３３を介して、居住者１０５が保有する携帯端末１７１からの信号を受信し、携帯端末１７１の位置を検知する。
【００５８】
（ステップＳ３０３）制御部１２１は、携帯端末１７１の位置が准不在モード設定エリアか否かを判定する。
制御部１２１は、携帯端末１７１の位置が准不在モード設定エリアであると判定したら（ステップＳ３０３：Ｙｅｓ）、処理をステップＳ３０４に進め、携帯端末１７１の位置が准不在モード設定エリアでないと判定したら（ステップＳ３０３：Ｎｏ）、処理をステップＳ３０２に戻す。
【００５９】
（ステップＳ３０４）制御部１２１は、モードを不在モードから准不在モードに切替え、ステップＳ３０５に処理を進める。
（ステップＳ３０５）訪問者１０６があると、訪問者１０６は、子機１０３の呼出ボタン１６１を押し、呼び出しを行う。
【００６０】
（ステップＳ３０６）制御部１２１は、呼び出しを受けると、准不在モード設定データベース１４６を参照して、携帯端末１７１までの距離から、携帯端末１７１が准不在モード設定エリアＡＲ１〜ＡＲ４の中に入るかを判定する。制御部１２１は、携帯端末１７１が准不在モード設定エリアＡＲ１〜ＡＲ４の中に入ると判定したら（ステップＳ３０６：Ｙｅｓ）、処理をステップＳ３０７に進め、准不在モード設定エリアＡＲ１〜ＡＲ４の中に入らないと判定したら（ステップＳ３０６：Ｎｏ）、処理をステップＳ３０８に進める。
【００６１】
（ステップＳ３０７）制御部１２１は、准不在モード設定データベース１４６を参照して、携帯端末１７１の位置が准不在モード設定エリアＡＲ１〜ＡＲ４のどこに入るかに応じて、応答メッセージを選択し、処理をステップＳ３０９に進める。例えば、携帯端末１７１の位置が准不在モード設定エリアＡＲ１に入る場合には、制御部１２１は、「Ｎ１分後（例えば１５分後）に対応可能です」のメッセージを選択する。また、例えば、携帯端末１７１の位置が准不在モード設定エリアＡＲ２に入る場合には、制御部１２１は、「Ｎ２分後（例えば３０分後）に対応可能です」のメッセージを選択する。
【００６２】
（ステップＳ３０８）制御部１２１は、携帯端末１７１が准不在モード設定エリアＡＲ５に入る場合のメッセージ「対応ができません」を選択し、処理をステップＳ３０９に進める。
（ステップＳ３０９）制御部１２１は、ステップＳ３０７又はステップＳ３０８で選択された応答メッセージを子機１０３に通知し、処理をステップＳ３１０に進める。子機１０３の出力音声処理部１５５は、この応答メッセージをスピーカ１５６から出力する。
（ステップＳ３１０）制御部１２１は、訪問者１０６があったことを居住者５に通知して、処理を終了する。
【００６３】
なお、訪問者１０６があったことの居住者１０５への通知は、親機１０２の表示部１３０の表示により行われても良いし、親機１０２のランプ等の点灯により行われても良いし、音声により行われても良い。また、居住者１０５の携帯端末１７１に、訪問者１０６があったことを通知しても良い。
【００６４】
以上、本発明の実施形態について図面を参照して詳述してきたが、具体的な構成はこの実施形態に限られるものではなく、この発明の要旨を逸脱しない範囲の設計変更等も含まれる。
【００６５】
また、上述のインターフォンシステム１、１０１の機能を実現するためのプログラムをコンピュータ読み取り可能な記録媒体に記録して、この記録媒体に記録されたプログラムをコンピュータシステムに読み込ませ、実行することによりインターフォンシステム１、１０１としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【００６６】
また、上述したインターフォンシステム１、１０１の機能の一部または全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００６７】
１…インターフォンシステム、２…親機、３…子機、２１…制御部、２２…記憶部、２４１…電気使用場所検知部、４２…電気使用時間算出部、４３…モード切替え部、４４…メッセージ選択部、４５…設定モード記憶部、４６…准不在モード設定データベース、４７…訪問履歴記憶部
【図１】
2017200066.tif 000003
【図２】
2017200066.tif 000004
【図３】
2017200066.tif 000005
【図４】
2017200066.tif 000006
【図５】
2017200066.tif 000007
【図６】
2017200066.tif 000008
【図７】
2017200066.tif 000009
【図８】
2017200066.tif 000010
【図９】
2017200066.tif 000011
【図１０】
2017200066.tif 000012
【図１１】
2017200066.tif 000013
【図１２】
2017200066.tif 000014